(57)【要約】【課題】情報発信に素早く対応したメニュー画面によりメニュー選択を可能とする。【解決手段】前記表示手段に表示する複数のコンテンツを記憶する記憶部２２Ａと、前記記憶部２２Ａに記憶された複数コンテンツのそれぞれの少なくとも代表映像を入れ込むコンテナを配置したメニュー画面の映像データを作成する作成手段７１と、作成手段７１に作成されたメニュー画面の映像データによる映像を前記表示手段に表示する表示制御手段７２とを具備し、作成手段７１は、記憶部２２Ａに新たなコンテンツが記憶されると、メニュー画面の映像データ中の最初に表示する第１画面の映像データに新たなコンテンツのコンテナを配置してメニュー画面の映像データの更新を行う。【選択図】図１
2016158089.tif 000002
【特許請求の範囲】
【請求項１】
情報を表示するための表示手段と、
前記表示手段に表示する複数のコンテンツを記憶する記憶手段と、
前記記憶手段に記憶された複数コンテンツのそれぞれの少なくとも代表映像が入れ込まれたコンテナを画面に配置したメニュー画面の映像データを作成する作成手段と、
前記作成手段に作成されたメニュー画面の映像データによる映像を前記表示手段に表示する表示制御手段と
を具備し、
前記作成手段は、前記記憶手段に新たなコンテンツが記憶されると、メニュー画面の映像データ中の最初に表示する第１画面の映像データに新たなコンテンツのコンテナを配置してメニュー画面の映像データの更新を行うことを特徴とするコンテンツ表示装置。
【請求項２】
前記メニュー画面の映像データには、前記作成手段によって作成されたテレビリモコンの４色のボタンに対応するボタンの映像データが付加されており、
４つに分けられたカテゴリーのコンテンツが、前記４色ボタンにそれぞれ対応付けられ、４つのカテゴリーのそれぞれに属する複数のコンテンツを示すコンテナをメニュー画面に配置したカテゴリー別メニュー画面の映像データが前記作成手段によって作成され、
前記４色ボタンのいずれかを選択する入力があると、前記表示制御手段は選択入力に対応するボタンに対応付けられたカテゴリーのカテゴリー別メニュー画面の映像データによる映像を前記表示手段に表示することを特徴とする請求項１に記載のコンテンツ表示装置。
【請求項３】
メニュー画面には、第１画面に続く第２画面が設けられ、
作成手段は、第１画面中の所定コンテナを第２画面に編集して配置したメニュー画面の映像データを作成し、
前記第１画面から前記第２画面に表示が切り換えられると、前記表示制御手段は、前記作成手段により作成された第２画面の映像データによる映像を前記表示手段に表示し、
また、前記第２画面から前記第１画面に表示が切り換えられると、前記表示制御手段は、前記作成手段により作成された、前記第１画面の映像データによる映像を前記表示手段に表示することを特徴とする請求項１または２に記載のコンテンツ表示装置。
【請求項４】
メニュー画面には、第１画面から続く第ｍ（ｍは２以上の整数）画面に更に続く第ｍ＋１画面が設けられ、
作成手段は、第１画面中の所定コンテナを第ｍ画面に編集して配置したメニュー画面の映像データを作成し、
前記第ｍ画面から前記第ｍ＋１画面に表示が切り換えられると、前記表示制御手段は、前記作成手段により作成された第ｍ画面の映像データによる映像を前記表示手段に表示し、
また、前記第ｍ＋１画面から前記第ｍ画面に表示が切り換えられると、前記表示制御手段は、前記作成手段により作成された、前記第ｍ画面の映像データによる映像を前記表示手段に表示することを特徴とする請求項１乃至３のいずれか１項に記載のコンテンツ表示装置。
【請求項５】
表示制御手段は、少なくとも左右にフォーカスを移動する入力に応じて対応するコンテナをフォーカス表示し、フォーカス表示されたコンテナを選択する入力に応じて対応するコンテナのコンテンツを表示するコンテンツ表示画面へメニュー画面から切り換えを行うことを特徴とする請求項１乃至４のいずれか１項に記載のコンテンツ表示装置。
【請求項６】
前記作成手段は、メニュー映像の下地部分にコンテンツを配置してメニュー映像を作成することを特徴とする請求項１乃至５のいずれか１項に記載のコンテンツ表示装置。
【請求項７】
メニュー画面には、第１画面に続く第２画面が設けられ、
作成手段は、第１画面中の下地に配置されたコンテンツを第２画面中の下地に編集して配置したメニュー画面の映像データを作成し、
前記第１画面から前記第２画面に表示が切り換えられると、前記表示制御手段は、前記作成手段により作成された第２画面の映像データを前記表示手段に表示し、
また、前記第２画面から前記第１画面に表示が切り換えられると、前記表示制御手段は、前記作成手段により作成された、前記第１画面の映像データによる映像を前記表示手段に表示することを特徴とする請求項６に記載のコンテンツ表示装置。
【請求項８】
メニュー画面には、第１画面から続く第ｍ（ｍは２以上の整数）画面に更に続く第ｍ＋１画面が設けられ、
作成手段は、第１画面中の下地に配置されたコンテンツを第ｍ画面中の下地に編集して配置したメニュー画面の映像データを作成し、
前記第ｍ画面から前記第ｍ＋１画面に表示が切り換えられると、前記表示制御手段は、前記作成手段により作成された第ｍ＋１画面の映像データによる映像を前記表示手段に表示し、
また、前記第ｍ＋１画面から前記第ｍ画面に表示が切り換えられると、前記表示制御手段は、前記作成手段により作成された、前記第ｍ画面の映像データによる映像を前記表示手段に表示することを特徴とする請求項１乃至３のいずれか１項に記載のコンテンツ表示装置。
【発明の詳細な説明】
【技術分野】
【０００１】
この発明は、送信されたコンテンツを表示するコンテンツ表示装置に関するものであり、特に、コンテンツを選択するためのグラフィカル・ユーザ・インタフェース（ＧＵＩ）の部分に関するものである。
【背景技術】
【０００２】
従来、メニュー画面に指によるタッチ操作によりメニューを選択するものが知られている（特許文献１参照）。更に、メニューを選択するために、フォーカス表示する枠の位置が固定であり、メニューアイコンが移動するものが特許文献２に開示されている。また、複数のサムネイルを表示させて、ポインタによりメニューを指定するものが特許文献３に開示されている。
【０００３】
更に、縦方向に並べたアイコンと横方向に並べたアイコンの交差点のアイコンによりメニュー選択を行うものが特許文献４に記載されている。
【先行技術文献】
【特許文献】
【０００４】
【特許文献１】特開平１１−１０５６４６号公報
【特許文献２】特開２００５−２０９１７４号公報
【特許文献３】国際公開第２０１０／０５０３８２号パンフレット
【特許文献４】特開２００４−３５６７７４号公報
【発明の概要】
【発明が解決しようとする課題】
【０００５】
上記の従来技術は、操作性向上の観点からの発明であり、新たなコンテンツが配信された場合に、視聴者に早く気付いてもらうなど、情報発信に素早く対応するものではなかった。
【０００６】
本発明は、上記のようなコンテンツ表示装置の現状に鑑みてなされたもので、その目的は、情報発信に素早く対応したメニュー画面によりメニュー選択が可能なコンテンツ表示装置を提供することである。
【課題を解決するための手段】
【０００７】
本発明に係るコンテンツ表示装置は、情報を表示するための表示手段と、前記記憶手段に記憶された複数コンテンツのそれぞれの少なくとも代表映像が入れ込まれたコンテナを画面に配置したメニュー画面の映像データを作成する作成手段と、前記作成手段に作成されたメニュー画面の映像データによる映像を前記表示手段に表示する表示制御手段とを具備し、前記作成手段は、前記記憶手段に新たなコンテンツが記憶されると、メニュー画面の映像データ中の最初に表示する第１画面の映像データに新たなコンテンツのコンテナを配置してメニュー画面の映像データの更新を行うことを特徴とする。
【０００８】
本発明に係るコンテンツ表示装置では、前記メニュー画面の映像データには、前記作成手段によって作成されたテレビリモコンの４色のボタンに対応するボタンの映像データが付加されており、４つに分けられたカテゴリーのコンテンツが、前記４色ボタンにそれぞれ対応付けられ、４つのカテゴリーのそれぞれに属する複数のコンテンツを示すコンテナをメニュー画面に配置したカテゴリー別メニュー画面の映像データが前記作成手段によって作成され、前記４色ボタンのいずれかを選択する入力があると、前記表示制御手段は選択入力に対応するボタンに対応付けられたカテゴリーのカテゴリー別メニュー画面の映像データによる映像を前記表示手段に表示することを特徴とする。
【０００９】
本発明に係るコンテンツ表示装置では、メニュー画面には、第１画面に続く第２画面が設けられ、作成手段は、第１画面中の所定コンテナを第２画面に編集して配置したメニュー画面の映像データを作成し、前記第１画面から前記第２画面に表示が切り換えられると、前記表示制御手段は、前記作成手段により作成された第２画面の映像データによる映像を前記表示手段に表示し、また、前記第２画面から前記第１画面に表示が切り換えられると、前記表示制御手段は、前記作成手段により作成された、前記第１画面の映像データによる映像を前記表示手段に表示することを特徴とする。
【００１０】
本発明に係るコンテンツ表示装置では、メニュー画面には、第１画面から続く第ｍ（ｍは２以上の整数）画面に更に続く第ｍ＋１画面が設けられ、作成手段は、第１画面中の所定コンテナを第ｍ画面に編集して配置したメニュー画面の映像データを作成し、前記第ｍ画面から前記第ｍ＋１画面に表示が切り換えられると、前記表示制御手段は、前記作成手段により作成された第ｍ画面の映像データによる映像を前記表示手段に表示し、また、前記第ｍ＋１画面から前記第ｍ画面に表示が切り換えられると、前記表示制御手段は、前記作成手段により作成された、前記第ｍ画面の映像データによる映像を前記表示手段に表示することを特徴とする。
【００１１】
本発明に係るコンテンツ表示装置では、表示制御手段は、少なくとも左右にフォーカスを移動する入力に応じて対応するコンテナをフォーカス表示し、フォーカス表示されたコンテナを選択する入力に応じて対応するコンテナのコンテンツを表示するコンテンツ表示画面へメニュー画面から切り換えを行うことを特徴とする。
【００１２】
本発明に係るコンテンツ表示装置では、前記作成手段は、メニュー映像の下地部分にコンテンツを配置してメニュー映像を作成することを特徴とする。
【００１３】
本発明に係るコンテンツ表示装置では、メニュー画面には、第１画面に続く第２画面が設けられ、作成手段は、第１画面中の下地に配置されたコンテンツを第２画面中の下地に編集して配置したメニュー画面の映像データを作成し、前記第１画面から前記第２画面に表示が切り換えられると、前記表示制御手段は、前記作成手段により作成された第２画面の映像データを前記表示手段に表示し、また、前記第２画面から前記第１画面に表示が切り換えられると、前記表示制御手段は、前記作成手段により作成された、前記第１画面の映像データによる映像を前記表示手段に表示することを特徴とする。
【００１４】
本発明に係るコンテンツ表示装置では、メニュー画面には、第１画面から続く第ｍ（ｍは２以上の整数）画面に更に続く第ｍ＋１画面が設けられ、作成手段は、第１画面中の下地に配置されたコンテンツを第ｍ画面中の下地に編集して配置したメニュー画面の映像データを作成し、前記第ｍ画面から前記第ｍ＋１画面に表示が切り換えられると、前記表示制御手段は、前記作成手段により作成された第ｍ＋１画面の映像データによる映像を前記表示手段に表示し、また、前記第ｍ＋１画面から前記第ｍ画面に表示が切り換えられると、前記表示制御手段は、前記作成手段により作成された、前記第ｍ画面の映像データによる映像を前記表示手段に表示することを特徴とする。
【発明の効果】
【００１５】
本発明によれば、記憶手段に新たなコンテンツが記憶されると、メニュー画面の映像データ中の最初に表示する第１画面の映像データに新たなコンテンツのコンテナを配置してメニュー画面の映像データの更新を行うので、情報発信に素早く対応したメニュー画面によりメニュー選択が可能となる。
【００１６】
本発明によれば、前記メニュー画面の映像データには、前記作成手段によって作成されたテレビリモコンの４色のボタンに対応するボタンの映像データが付加されており、４つに分けられたカテゴリーのコンテンツが、前記４色ボタンにそれぞれ対応付けられ、４つのカテゴリーのそれぞれに属する複数のコンテンツを示すコンテナをメニュー画面に配置したカテゴリー別メニュー画面の映像データが前記作成手段によって作成され、前記４色ボタンのいずれかを選択する入力があると、前記表示制御手段は選択入力に対応するボタンに対応付けられたカテゴリーのカテゴリー別メニュー画面の映像データによる映像を前記表示手段に表示するので、カテゴリー別メニュー画面を用いて、情報発信に素早く対応したメニュー画面によりメニュー選択が可能となる。
【図面の簡単な説明】
【００１７】
【図１】本発明に係るコンテンツ表示装置の実施形態の構成を示すブロック図。
【図２】本発明に係るコンテンツ表示装置の実施形態の要部構成を示すブロック図。
【図３】本発明に係るコンテンツ表示装置の実施形態のメニュー画面の構成例を示す図。
【図４】本発明のコンテンツ表示装置の実施形態において、メニュー画面の第１画面に続く第２画面へ表示が切り換えられた場合の表示例を示す図。
【図５】本発明のコンテンツ表示装置の実施形態において行われる動作を示すフローチャート。
【図６】本発明のコンテンツ表示装置の実施形態において、新たなコンテンツが配信された場合に表示されるメニュー画面の第１画面の表示例を示す図。
【図７】図６に示したメニュー画面の第１画面に続き、第２画面へ表示が切り換えられた場合の表示例を示す図。
【図８】図６に示したメニュー画面の第１画面に続き、ボタンＢ２が操作された場合の表示例を示す図。
【図９】図６に示したメニュー画面の第１画面に続き、ボタンＢ３が操作された場合の表示例を示す図。
【図１０】図６に示したメニュー画面の第１画面に続き、ボタンＢ４が操作された場合の表示例を示す図。
【発明を実施するための形態】
【００１８】
以下添付図面を参照して本発明に係るコンテンツ表示装置の実施形態を説明する。各図において同一の構成要素には同一の符号を付して重複する説明を省略する。実施形態に係るコンテンツ表示装置は、図１に示すように、テレビ１０と、このテレビ１０に外付けされるセットトップボックスであるＨＤＭＩドングル２０により構成される。
【００１９】
ＨＤＭＩドングル２０は、テレビ１０のＨＤＭＩ端子に接続され、映像データをテレビ１０へ供給するものであり、図２に示すように構成することができる。ＨＤＭＩドングル２０は、プロセッサ２１に、ｅＭＭＣ（embedded Multi Media Card ）により構成することができる外部記憶装置２２１とＤＤＲ(Double-Data-Rate Synchronous Dynamic Random Access Memory) ３により構成することができる主記憶装置２２２とを有する記憶装置２２が接続されており、プロセッサ２１が記憶装置２２に記憶されたプログラムを用いて処理を行うコンピュータの構成を採用している。
【００２０】
プロセッサ２１には、通信インタフェース２３と、ＨＤＭＩインタフェース２４、ＰＭＩＣ（パワーマネージメントＩＣ）２５が接続されている。通信インタフェース２３は、Ｗｉ−Ｆｉ（登録商標）などによる無線ＬＡＮインタフェース及びBluetooth （登録商標）通信のためのインタフェースである。
【００２１】
ＨＤＭＩインタフェース２４は、ＨＤＭＩケーブルによってテレビ１０のＨＤＭＩ端子に接続される。パワーマネージメントＩＣ２５は、ＵＳＢベースとＡＣアダプタ・ベースのどちらからもバッテリ充電が可能となっており、バッテリ充電と電力供給を行う。
【００２２】
図１には、図２におけるＨＤＭＩドングル２０の構成中のプロセッサ２１と記憶装置２２を、それぞれ制御部２１Ａと記憶部２２Ａとして示し、他の構成を省略している。従って、図１においては通信インタフェース２３が図示されず、制御部２１Ａから直接にネットワーク３０に接続されているが、実際には通信インタフェース２３を介してネットワーク３０に接続されている。また、ネットワーク３０には、コンテンツを送信（配信）する少なくとも１つ（ここでは複数）のサーバ４０が接続されている。
【００２３】
記憶手段である記憶部２２Ａには、サーバ４０から配信されたコンテンツが制御部２１Ａによって記憶される。このコンテンツには、代表映像が含まれているものとする。この代表映像は、コンテンツの最初に表示される映像等であるが、コンテンツの映像データを再生して得られる動画像であっても良い。コンテナには、この代表映像が入れ込まれて、表示手段であるテレビの表示装置（ＬＥＤ等）の画面に配置される。つまり、メニュー画面の映像を作成するために用いられる。
【００２４】
制御部２１Ａには、作成手段７１と表示制御手段７２と検出手段７３が備えられている。表示制御手段７２は、表示手段であるテレビの表示装置（ＬＥＤ等）にコンテンツや前述のメニュー画面の映像を表示するものである。作成手段７１は、記憶部２２Ａに記憶された複数コンテンツのそれぞれの少なくとも代表映像（従って、コンテンツの動画映像であっても良い）を入れ込む表示枠であるコンテナに入れ込んで表示手段の画面に配置したメニュー画面の映像データを作成するのである。
【００２５】
更に、作成手段７１は、前記記憶部２２Ａに新たなコンテンツが記憶されると、メニュー画面の映像データ中で最初の画面に表示する第１画面の映像データに新たなコンテンツのコンテナを配置してメニュー画面の映像データの更新を行う。
【００２６】
テレビ１０の要部構成として、制御部１１、入力切換部１２、映像表示部１３及び受信部１４が示されている。映像表示部１３は、入力切換部１２を介して到来する映像データ（映像信号）を用いて画面に映像を表示する。入力切換部１２は、映像データの入力を切り換えるもので、ここではＨＤＭＩドングル２０とアンテナとの切り換えを示すが、これ以外の入力について選択するものであっても良い。
【００２７】
制御部１１は、上記入力切換部１２の切換制御を行うと共に、ＨＤＭＩ−ＣＥＣによりＨＤＭＩドングル２０と接続するインタフェース機能を含むものとする。この実施形態では、テレビリモコン８０の操作により送られる信号をＨＤＭＩ−ＣＥＣによるデータとして送信する。制御部１１は、ＨＤＭＩドングル２０からＨＤＭＩ−ＣＥＣの入力切換のコマンドを受けると、入力切換部１２を制御してＨＤＭＩドングル２０から送られる映像データが選択されて映像表示部１３にて表示が行われるように動作する。テレビリモコン８０のキー操作やボタン操作による信号は受信部１４を介してＨＤＭＩドングル２０の制御部２１へ送られる。
【００２８】
また、検出手段７３は、メニュー画面に存在するコンテナを選択してフォーカス表示するためのキーの操作に応じて次にフォーカス表示するコンテナの位置情報を検出するものである。表示制御手段７２は、上記キーの操作に基づきフォーカス表示を変更して表示するものである。ここで、キーは次にフォーカス表示するコンテナ（選択対象情報の枠）を指示するためキーであり、上下左右の方向を指示する方向キーを用いることができる。この方向キーは、図１に示すテレビリモコン８０に設けられている所謂十字キー８１により構成することができる。
【００２９】
また、テレビリモコン８０の決定キー８２は、フォーカス表示されたコンテナのコンテンツを画面全体に表示する再生を指示するキーとして機能する。このキーの操作についても、検出手段７３が行う。
【００３０】
検出手段７３は、テレビ画面の左右及び／または上下のサイズ情報とフォーカス表示されるコンテナの位置情報とに基づき、フォーカス表示位置がテレビの画面縁部に入るか否かを検出するものである。表示制御手段７２は、検出手段７３によってフォーカス表示位置がテレビの画面縁部に入ることが検出された場合に、メニュー画面の第１画面に続く第２画面へ表示を切り換える。
【００３１】
メニュー画面には、第１画面に続く第２画面が設けられ、第２画面に続く第３画面が設けられている。一般的には、第１画面から続く第ｍ（ｍは２以上の整数）画面に更に続く第ｍ＋１画面が設けられている。このようなメニュー画面の構成例を図３に示す。この図３の構成例では、第３画面の途中までを示したものである。検出手段７３によってフォーカス表示位置がテレビの画面縁部に入ることが検出された場合に、表示制御手段７２によりメニュー画面の第１画面に続く第２画面へ表示が切り換えられた表示例を図４に示す。この図４におけるメニュー画面のコンテナ内のコンテンツは、図３におけるメニュー画面のコンテナ内のコンテンツと異なるものを用いている。
【００３２】
作成手段７１は、第１（またはｍ）画面中の所定コンテナを第２（またはｍ＋１）画面に編集して配置したメニュー画面の映像データを作成する。また、第１（またはｍ）画面から第２（またはｍ＋１）画面に表示が切り換えられると、表示制御手段７２は、作成手段７１により作成された第２画面の映像データによる映像を表示手段に表示する。上記また以降において、ｍは２以上の整数である。
【００３３】
以上の通りに構成されたコンテンツ表示装置においては、電源投入により例えば図５に示すようなフローチャートのプログラムが実行されて動作が行われる。電源投入によりスタートとなり、入力切換部１２は、ＨＤＭＩドングル２０側に映像データの入力を切り換える。作成手段７１は、代表映像をコンテナに入れ込んでメニュー画面の第１画面の映像データを作成する（Ｓ１１）。更に、表示制御手段７２は、上記で作成された第１画面の映像データをテレビ２０へ送って画面に表示させる（Ｓ１２）。
【００３４】
次に、新たなコンテンツが配信されてきたかを記憶部２２Ａに新たなコンテンツが記憶されたか検出して判定し（Ｓ１３）、ＹＥＳとなると、作成手段７１が、メニュー画面の映像データ中の最初に表示する第１画面の映像データに新たなコンテンツのコンテナを配置してメニュー画面の映像データを作成する（Ｓ１４）。更に、表示制御手段７２は、上記で作成された第１画面の映像データをテレビ２０へ送って画面に表示させる（Ｓ１５）。
【００３５】
図６に、新たなコンテンツのコンテナを配置して作成したメニュー画面の一例を示す。この例は、図４（Ａ）に示したメニュー画面の一例から更新されたものである。即ち、新たなコンテンツのコンテナとして「今日のおすすめ」コンテンツのコンテナＮＣが新規に最左上部に配置され、直前に最左上部に配置されていた「週間天気」のコンテナＷが下欄に配置されている。配置の変更により空欄となったエリアには、次の優先順位を持つコンテンツのコンテナを配置する。
【００３６】
この実施形態では、上欄左から優先順位が高いコンテンツのコンテナを配置するものとし、上欄の次には下欄の左から優先順位が高いコンテンツのコンテナを配置する規則が適用されている。また、コンテンツは一定期間で記憶部２２Ａから排除されることが原則とすることができる。また、コンテンツの優先順位をサーバ４０から指定する情報を含ませることができ、例えば、図６の最右上欄の「チラシ」コンテナＣＨは、第３の順位が指定されたものである。
【００３７】
ステップＳ１３においてＮＯとなると、テレビリモコン８０に設けられている所謂十字キー８１の操作により、第１（またはｍ）画面から第２（またはｍ＋１）画面へ（またはその逆）の切り換えするかを検出手段７３が検出し（Ｓ１６）、ＹＥＳとなると、メニュー画面の該当する第２（またはｍ＋１）画面の映像データを作成する（Ｓ１７）。表示制御手段７２は、上記で作成された第２（またはｍ＋１）画面の映像データをテレビ２０へ送って画面に表示させる（Ｓ１８）。第２（またはｍ＋１）画面から第１（またはｍ）画面への切り換えすることが検出された場合には、既に作成してある該当画面の映像データを用いて表示を行っても良い。
【００３８】
ステップＳ１５の終了の場合、ステップＳ１８の終了の場合、ステップＳ１６においてＮＯへ分岐した場合には、ステップＳ１９において電源ＯＦＦであるか否かを検出して、ＮＯとなるとステップＳ１３へ戻って処理を続け、ステップＳ１９でＹＥＳとなるとエンドとなる。
【００３９】
上記の映像データ作成においては、所定コンテンツのコンテナを編集して配置しても良い。図４（Ｂ）は、図４（Ａ）の第１画面から切り換えられた第２画面の表示例を示す。また、図７は、図６の第１画面から切り換えられた第２画面の表示例を示す。これらの編集により配置されたコンテンツのコンテナは、「今日の天気」や「時刻」や「ポイント」などが含まれているコンテナＳである。第１画面のコンテナＳから、エリアが縮小されて第２画面に表示されていることが分かる。
【００４０】
また、図６、図７は新規なコンテンツの配信後であるため、「ニュース」コンテナＮが第２画面に配置されていることが分かる。編集としては、エリアの大きさや位置に関する編集、更には、コンテナの形状や色の編集、動画から静止画への変更など所要の編集を行っても良い。また、上記では、１画面分の画面切り換えの例を示したが、フォーカス表示されたコンテナが画面の端に近くなった場合に、例えば、画面サイズの何分の１という距離をスクロールさせて停止し、停止した画面を第２画面（一般には、第ｍ＋１画面）として処理を行っても良い。
【００４１】
また、作成手段７１は、メニュー映像の下地部分にコンテンツを配置してメニュー映像を作成しても良い。この実施形態では、所定のコンテナについて画面の切換の場合に編集することを示したが、メニュー映像の下地部分にコンテンツを配置した場合には、コンテナについて画面の切換の場合に編集するようにしても良い。作成手段７１は、第１画面中の下地に配置されたコンテンツを第２画面中の下地に編集して配置したメニュー画面の映像データを作成しても良い。また、作成手段７１は、第ｍ画面中の下地に配置されたコンテンツを第ｍ＋１画面中の下地に編集して配置したメニュー画面の映像データを作成しても良い。表示制御手段７２は、前記作成手段により作成された第ｍ＋１画面の映像データによる映像を表示手段に表示する。
【００４２】
本実施形態では、図１に示すように、テレビリモコン８０に４色のボタン８３が設けられている。メニュー画面の映像データには、作成手段７１によって作成されたテレビリモコンの４色のボタンに対応するボタンの映像データが付加されており、映像データによる表示によりボタンＢ１〜Ｂ４が画面に表示される（図４、図６、図７）。
【００４３】
４つに分けられたカテゴリーのコンテンツが、上記４色ボタンにそれぞれ対応付けられ、４つのカテゴリーのそれぞれに属する複数のコンテンツを示すコンテナをメニュー画面に配置したカテゴリー別メニュー画面の映像データが作成手段７１によって作成される。
【００４４】
本実施形態では、ボタンＢ１のカテゴリーは「ホーム」、ボタンＢ２のカテゴリーは「アプリ一覧」、ボタンＢ３のカテゴリーは「ブックマーク」、ボタンＢ４のカテゴリーは「設定」である例を示す。上記４色ボタンＢ１〜Ｂ４のいずれかを選択する入力（テレビリモコン８０における４色のボタン８３の操作）があると、表示制御手段７２は選択入力に対応するボタンに対応付けられたカテゴリーのカテゴリー別メニュー画面の映像データによる映像を表示手段に表示する。
【００４５】
ボタンＢ２を選択する入力があると、図８に示すような複数のアプリケーションのコンテナが並んだ映像が表示される。ボタンＢ３を選択する入力があると、図９に示すような複数のブックマークのコンテナが並んだ映像が表示される。ボタンＢ４を選択する入力があると、図１０に示すような複数の設定のコンテナが並んだ映像が表示される。図８〜図１０の表示状態で、所望のコンテナを選択して決定キーを操作することにより、対応のコンテンツが画面全体に表示される。
【００４６】
ボタンＢ１は、初期メニューであるホーム（既に説明したメニュー画面の第１画面、第２画面、・・・）を表示するためのボタンで、図８〜図１０が表示されているとき、或いはメニュー画面の第２画面以降の画面が表示されているときに、操作することによってメニュー画面における第１画面の映像の表示に戻ることができる。なお、カテゴリー別メニュー画面の第１画面が図８〜図１０に示すように表示された場合において、第２画面以降が有る場合には、画面の切り換え動作は初期メニューについての説明と同様に行われる。
【００４７】
本発明において、キーやボタンなどの操作情報を送信する機器は、テレビリモコンに限らず、同様なキー等を備える電子機器やキー操作により同様に操作情報を送信するようにしたスマートフォンなどでも良い。この場合には、Ｗｉ−Ｆｉ（登録商標）などの無線ＬＡＮによって情報をＨＤＭＩ ドングルへ送信する構成を採用することができる。
【符号の説明】
【００４８】
１０  テレビ
１１  制御部
１２  入力切換部
１３  映像表示部
１４  受信部
２０  ドングル
２１  プロセッサ
２１Ａ  制御部
２２  記憶装置
２２Ａ  記憶部
２３  通信インタフェース
２４  インタフェース
３０  ネットワーク
３１  通信インタフェース
４０  サーバ
７１  作成手段
７２  表示制御手段
７３  検出手段
８０  テレビリモコン
８１  十字キー
８２  決定キー
８３  ４色のボタン
【図１】
2016158089.tif 000003
【図２】
2016158089.tif 000004
【図５】
2016158089.tif 000005
【図３】
2016158089.tif 000006
【図４】
2016158089.tif 000007
【図６】
2016158089.tif 000008
【図７】
2016158089.tif 000009
【図８】
2016158089.tif 000010
【図９】
2016158089.tif 000011
【図１０】
2016158089.tif 000012